(57)【特許請求の範囲】
【請求項１】
複数枚の法面羽根板を連結して構成され、畦の法面を整畦する法面整畦部と、支持部材の周方向に間隔を置いて装着された複数枚の上面羽根板を有し、前記法面整畦部の頂部に設けられて畦の上面を整畦する上面整畦部と、を備える整畦体であって、
前記上面羽根板は、前記法面整畦部に向けて延びる延長部位と、該延長部位と隣り合わせに設けられた切欠部位とを有し、
整畦作業を行っている状態における前記整畦体を前記法面整畦部の頂部側から見た場合において、前記切欠部位は、前記複数枚の法面羽根板のうち隣接する二つの法面羽根板の境界部分に位置し、前記上面羽根板の回転方向下流側における側縁が、前記境界部分に重ならない位置にあり、
前記延長部位の外側表面は、第１の部分において、上流側法面羽根板における張出部の外側表面と下流側法面羽根板における張出部の外側表面とを結ぶ円弧上に位置し、前記第１の部分よりも先端側の第２の部分において、上流側法面羽根板における張出部の外側表面と下流側法面羽根板における張出部の外側表面とを結ぶ円弧よりも内側に位置する、整畦体。
【請求項２】
前記上面羽根板が弾性部材で構成されている、請求項１に記載の整畦体。
【請求項３】
請求項１又は２に記載の整畦体を備えた畦塗り機。
【発明の詳細な説明】
【技術分野】
【０００１】
本発明は、畦の法面を整畦する法面整畦部及び畦の上面を整畦する上面整畦部から構成される畦塗り機の整畦体に関する。
【背景技術】
【０００２】
従来、畦塗り機の整畦体として、畦の法面を整畦する略円錐形状の法面整畦部と、その法面整畦部の頂部に装着されるとともに畦の上面を整畦する略柱形状の上面整畦部とを有する整畦体が知られている。
【０００３】
このような整畦体は、法面整畦部については、扇形の複数枚の法面羽根板を周方向に連結した構成とし、上面整畦部については、略矩形状の複数枚の上面羽根板を周方向に並べた構成が知られている。
【０００４】
特に、法面整畦部における土への押圧を効果的に行うため、法面羽根板については、法面整畦部の回転方向の下流側に向けて張り出す張出部と、回転方向の上流側に向けて延びる重なり部とを設け、周方向に隣接する法面羽根板は境界部分において上下間隔を置き、法面整畦部における回転方向の下流側に位置する下流側法面羽根板の重なり部を、上流側に位置する上流側法面羽根板の張出部の背面側に連結する構成が知られている。
【０００５】
そして、上面整畦部においても、土を効果的に畦の上面に押しつけるため、上面羽根板を樹脂等の可撓性部材とし、その上面羽根板を上面整畦部の回転方向の上流側の端部から下流側の端部に向けて、弾力性を保持しながら徐々に径大として支持部材に装着した構成が知られている（特許文献１）。
【０００６】
さらに、畦の上面から法面に亘って滑らかな土表面として整畦するため、上面整畦部の各々の上面羽根板を法面整畦部における法面羽根板の張出部の表面形状に沿って滑らかに延長させることで、上面整畦部から法面整畦部にかけた表面を滑らかな形状とした構成も知られている（特許文献２）。
【先行技術文献】
【特許文献】
【０００７】
【特許文献１】特開２００９−１１８７４６号公報
【特許文献２】特開２０１０−１１９３１９号公報
【発明の概要】
【発明が解決しようとする課題】
【０００８】
しかしながら、法面羽根板の張出部の表面に沿って延びた上面整畦部の各々の上面羽根板は、法面羽根板の張出部の表面から突出しているため、その法面羽根板の張出部に比べて余分な押圧力を畦の土面に与えてしまい、整畦後において、この上面整畦部の各々の上面羽根板の押圧力による段差が土面に筋状に残り、畦の土表面への押圧が均一に行われないという問題があった。
【０００９】
また、畦の法面に対しては法面整畦部による整畦を行い、畦の上面に対しては上面整畦部により整畦を可能とするものの、畦の法面と上面との間であって、曲線状の土面（以下、「畦肩面」という。）については、その畦肩面に対応する法面整畦部と上面整畦部との間において、法面羽根板や上面羽根板といった羽根板を設けることは困難であり、この畦肩面を効果的に整畦することができないといった問題もあった。
【００１０】
そこで本発明は、畦の上面から法面に亘って滑らかな土表面として整畦するため、上面整畦部の各々の上面羽根板について、法面整畦部の法面羽根板の表面形状に沿って滑らかに延長させた構成であっても、段差が土面に形成されることを防止するとともに、畦肩面に対して効果的に整畦を行うことができる畦塗り機の整畦体を提供することを目的とする。
【課題を解決するための手段】
【００１１】
本発明の一実施形態は、扇形の複数枚の法面羽根板を周方向に連結して略円錐形状として構成され、軸回りの回転により畦の法面を整畦する法面整畦部と、略柱形状であるとともに基端部を前記法面整畦部の頂部に装着され、軸回りの回転により畦の上面を整畦する上面整畦部と、を備える畦塗り機の整畦体であって、前記法面羽根板は、前記法面整畦部の回転方向の下流側に向けて張り出す張出部及び前記回転方向の上流側に向けて延びる重なり部を有し、周方向に隣接する前記法面羽根板は、境界部分において上下間隔を置き、前記回転方向の下流側に位置する下流側法面羽根板の前記重なり部が、上流側に位置する上流側法面羽根板の前記張出部の背面側に連結されており、前記上面整畦部の基端部には、前記法面整畦部に向けて延びる延長部位及び切欠部位が周方向に交互に形成され、前記整畦体による整畦が行われている状態において、前記法面整畦部における前記張出部は前記上面整畦部における前記切欠部位の位置に延在するとともに、前記上面整畦部における前記延長部位は前記上流側法面羽根板の前記張出部と前記下流側法面羽根板の前記張出部との間であって前記下流側法面羽根板の表面に沿って延び、前記整畦体の表面は、前記延長部位と前記張出部とが周方向に交互に突出した領域を有することを特徴とする。
【００１２】
本発明の一実施形態は、上記整畦体であって、前記整畦体による整畦が行われている状態において、前記延長部位の先端である先端部位の外側表面部は、前記上流側法面羽根板における前記張出部の外側表面部と前記下流側法面羽根板における前記張出部の外側表面部とを結ぶ円弧よりも内側に位置することを特徴とする。
【発明の効果】
【００１３】
本発明によれば、整畦体の表面形状について、上面羽根板から延びた延長部と法面羽根板の張出部とが周方向に交互に突出した領域を有することとなり、整畦体の回転動作に伴って、この延長部及び張出部により交互かつ均一に畦土面を叩くことが可能となる。
このため、この延長部及び張出部が周方向に交互に突出した整畦体の表面においては、畦の土面に対する押圧の回数が増えることとなり、畦の上面から法面に亘って滑らかな土面の成形が可能であることはもちろん、より効果的に畦表面を固めることが可能となる。
【００１４】
また、上流側法面羽根板の張出部及び下流側法面羽根板の張出部の間に延びた上面羽根板の延長部について、その延長部の先端部における外側表面部を、上流側法面羽根板における張出部の外側表面部と下流側法面羽根板における張出部の外側表面部とで結ばれる円弧よりも内側に位置させることで、この延長部の先端部による土面への余分な押圧力の発生を抑制し、畦土面に筋状に段差が残ってしまうことを防ぐことができる。
【図面の簡単な説明】
【００１５】
【図１】本発明を適用した畦塗り機の部分平面図を示す。
【図２】本発明を適用した畦塗り機の側面図を示す。
【図３】本発明を適用した畦塗り機の斜視図を示し、同図（ａ）は畦塗り機の左斜め後方から見た畦塗り機の斜視図であり、同図（ｂ）は畦塗り機の左斜め後方から見た畦塗り機の斜視図である。
【図４】本発明を適用した畦塗り機に設けられたオフセットフレームの先端側の部分拡大模式側面図を示す。
【図５】本発明を適用した法面整畦部の斜視図を示す。
【図６】本発明を適用した上面整畦部の分解斜視図を示す。
【図７】本発明を適用した法面整畦部及び支持部材の構成図を示す。
【図８】本発明を適用した上面羽根板の斜視図を示す。
【図９】本発明を適用した整畦体の斜視図、側面図及び前面図を示す。
【図１０（ａ）】本発明を適用した上面整畦部の端面図を示し、畦上面を整畦していない無負荷状態の端面図を示す。
【図１０（ｂ）】本発明を適用した上面整畦部の端面図を示し、畦上面を整畦している負荷状態の端面図を示す。
【図１１】本発明を適用した整畦体により、畦を整畦している状態の後面図を示す。
【図１２】本発明を適用した整畦体により畦を整畦している状態であって、法面羽根板及び上面羽根板の位置関係を示す構成図である。
【図１３】本発明を適用した整畦体により畦を整畦している状態であって、法面羽根板の張出部と上面羽根板の延長部との位置関係を示す構成図である。
【発明を実施するための形態】
【００１６】
以下、本発明に係る整畦体の好ましい実施の形態について、説明する。
ここにおいて、先ず、図１（部分平面図）及び図２（側面図）を参照しながら、走行機体に牽引される畦塗り機の全体的な概要を説明し、説明の参考として、畦塗り機の斜視図（図３）も参照する。
【００１７】
畦塗り機１は、図１及び図２に示すように、走行機体９０の後部に設けられた三点リンク連結機構９１に連結されて、走行機体９０の前進及び後進に応じて畦塗り作業を行うものである。この畦塗り機１は、走行機体９０に装着されて走行機体９０からの動力が入力される入力軸８ａを備えた装着部５と、装着部５に設けられ進行方向に対して左右方向に回動可能に支持されたオフセット機構部１０と、オフセット機構部１０の先端側に旋回自在に配設されて入力軸８ａから伝達される動力によって作業を行なう作業部６０を有して構成される。
【００１８】
装着部５は、機体幅方向に延びるヒッチフレーム６と、ヒッチフレーム６の前方に設けられて走行機体９０の後部に設けられた三点リンク連結機構９１に連結される連結フレーム７を有して構成される。ヒッチフレーム６の幅方向の中央下部にはギアボックス８が設けられ、このギアボックス８には前述した入力軸８ａが設けられている。
【００１９】
オフセット機構部１０は、その基端側をヒッチフレーム６に回動自在に連結されて後方側へ延びるオフセットフレーム１１と、オフセットフレーム１１の幅方向一方側に沿って並設されて基端側がヒッチフレーム６の一方側端に回動自在に連結されたリンク部材１３と、オフセットフレーム１１の先端側とリンク部材１３の先端側との間に回動自在に連結された回動支持アーム１５とを有して構成される。
【００２０】
オフセットフレーム１１は、内部が中空状に形成された箱状部材であり、オフセットフレーム１１の先端側とヒッチフレーム６の一方側端部との間に接続された揺動シリンダ１７の伸縮により、オフセットフレーム１１は進行方向に対して左右方向に揺動可能である。また、オフセットフレーム１１の上部には動力伝達機構（図示省略）が設けられ、この動力伝達機構によって、走行機体９０から入力軸８ａに伝達された動力がオフセットフレーム１１の先端側に回転自在に配設された従動軸１２に伝達可能に構成されている。
【００２１】
リンク部材１３の先端部は、オフセットフレーム１１の先端部に回動自在に設けられた回動支持アーム１５の一方側端に回動自在に取り付けられている。
ここで、図３（ａ）を参照しながら詳細に説明すると、回動支持アーム１５は、進行方向に対して左右方向に延びる平行リンクフレーム部１５ａと、平行リンクフレーム部１５ａの基端側端部分から装着部５側へ延びるリンクアーム部１５ｂとを有してなり、リンクアーム部１５ｂの基端側がオフセットフレーム１１の先端側下部に回動自在に取り付けられている。
このように構成されたオフセット機構部１０は、図１に示す通り、オフセットフレーム１１、リンク部材１３、ヒッチフレーム６及び回動支持アーム１５によって平行リンク機構を形成している。
【００２２】
なお、揺動シリンダ１７は、電動式油圧シリンダであり、図示しない制御装置からの制御信号に応じて伸縮するようになっている。
【００２３】
また、図４（部分拡大模式側面図）に示すように、オフセットフレーム１１の先端部に設けられた従動軸１２の下部には、動力伝達軸１４が従動軸１２と同軸上に配置されて下方へ連結されて、動力伝達軸１４は従動軸１２の回転に伴って回転する。またオフセットフレーム１１の先端下部には、動力伝達軸１４と同軸上に配置された円筒状の連結部１８がオフセットフレーム１１に対して回動自在に取り付けられている。この連結部１８は動力伝達軸１４と非結合状態にあり、動力伝達軸１４を回動中心として回動自在である。この連結部１８の下部に作業部６０の一部である伝動支持ケース６１の基端部が接続され、連結部１８の上部に作業部６０の一部である伝動支持フレーム６５が接続されている。このため、作業部６０はオフセット機構部１０に設けられた動力伝達軸１４の中心軸線を回動支点Ｏとして回動可能である。
【００２４】
なお、本実施形態においては、畦塗り機の構成のうち、回動支点Ｏを回動の中心軸として回動することが可能な部位であって、伝動支持ケース６１及び伝動支持フレーム６５を含み、その先端部側に配設される天場処理部６２、前処理部６４、整畦部６６の構成を、作業部６０として定義し、説明する。
【００２５】
伝動支持ケース６１には、図１、図３（ａ）、図３（ｂ）に示すように、その先端側には、圃場の周辺に沿って形成された旧畦の上部を切り崩す天場処理部６２と、切り崩した土の土盛りを行なう前処理部６４が配設され、伝動支持ケース６１の基端側には盛られた土を切り崩された旧畦上に塗り付ける整畦体６６が配設されている。伝動支持ケース６１内には不図示の動力伝達機構が内蔵され、この動力伝達機構は、従動軸１２からの動力を受けて天場処理部６２、前処理部６４、整畦体６６に動力伝達可能に構成されている。
【００２６】
天場処理部６２は、回転自在な天場処理ロータ６２ａ（図３（ｂ）参照）を備える。天場処理ロータ６２ａは天場動力伝達ケース６３を介して上下方向に回動可能に伝動支持ケース６１に連結された前処理部６４の先端部に連結されるとともに、伝動支持フレーム６５を介して支持されている。天場動力伝達ケース６３内には図示しない動力伝達機構が内蔵され、この動力伝達機構を介して伝動支持ケース６１の動力伝達機構に伝達された動力が天場処理ロータ６２ａに伝達されるようになっている。
【００２７】
前処理部６４は、回転自在な耕耘爪６４ａ（図２参照）を備える。耕耘爪６４ａは伝動支持ケース６１内の動力伝達機構を介して動力が伝達され、前処理部６４は伝動支持ケース６１に連結され伝動支持フレーム６５を介して支持されている。
【００２８】
整畦体６６は、伝動支持ケース６１に回転自在に支持された略円錐形状の法面整畦部２０と、法面整畦部２０の頂部に取り付けられて畦方向に延びる上面整畦部３０とを有してなる。整畦体６６は伝動支持ケース６１内の動力伝達機構を介して回転動力が伝達されるように構成され、伝動支持ケース６１に支持されている。このため、作業部６０は連結部１８を介してオフセット機構部１０の先端側に設けられた動力伝達軸１４（図４参照）の中心軸線を回動支点Ｏとして旋回可能である。
【００２９】
次に、法面整畦部２０及び法面整畦部２０を構成する法面羽根板２１について、図５を参照しながら説明する。
法面整畦部２０は、図５に示す通り、扇形をした複数枚の法面羽根板２１を半径方向の直線部分で互いに連結することにより全体として略円錐形状に形成されており、中心位置である頂部には、複数枚の法面羽根板２１を連結する際の位置決めの基準になるとともに、上面整畦部３０を固定するための固定部２４が配置されている。
【００３０】
また、各々の法面羽根板２１は、法面整畦部２０の回転方向（図中矢印Ｖ）の下流側に向けて張り出す張出部２２と、回転方向の上流側に向けて延びる重なり部２３とを有している。
そして、周方向に隣接する複数枚の法面羽根板は、互いの境界部分において上下間隔を置き、法面整畦部２０における回転方向の下流側に位置する下流側法面羽根板２１ｂの重なり部２３を、上流側に位置する上流側法面羽根板２１ａの張出部２２の背面側に連結されている。
【００３１】
具体的に説明すると、互いに隣接する上流側法面羽根板２１ａ及び下流側法面羽根板２１ｂは、上流側法面羽根板２１ａと下流側法面羽根板２１ｂとの間に固定部２４の保持部２４ａを挟み込むことで支持され、この上流側法面羽根板２１ａ及び下流側法面羽根板２１ｂの間に上下間隔が形成された状態で、互いに溶接等により接合されている。
【００３２】
このように、上下間隔を設けておくことで、法面整畦部２０が図中矢印Ｖに向けて回転して、整畦が行われる際には、各法面羽根板２１の表面と畦の法面との間の距離は、この回転方向の上流側から下流側へかけて次第に小さくなるため、各法面羽根板２１による畦の法面を押圧する力が上流側から下流側へかけて次第に大きくなり、効果的に土表面を締め固めることが可能となっている。
【００３３】
なお、固定部２４には、上面整畦部３０を固定するため、ボルト等を締結可能とするねじ孔２４ｂが設けられており、この点については後述する。
【００３４】
次に、法面整畦部２０の固定部２４に固定される上面整畦部３０の構成について、その分解図としての図６を参照しながら説明する。
図６に示す通り、上面整畦部３０は、法面整畦部２０の固定部２４に固定される支持部材３４や、支持部材３４の周方向において間隔を置いて装着される複数枚の上面羽根板３２等から構成されており、複数枚の上面羽根板３２は、接合部材４や締結部材５を用いて支持部材３４にそれぞれ装着されることとなる。
【００３５】
なお、本実施形態において支持部材３４は、８角柱形状となっており、支持部材３４の周面部を複数の平面形状としたことで、上面羽根板３２の装着が容易なものとなっている。つまり、支持部材３４を角柱形状とすることで、上面羽根板３２の装着を容易かつ確実なものとしている。
【００３６】
また、図示は省略するものの、支持部材３４を円柱とした場合であっても、その支持部材３４の周面部の周方向において、接合部材４を介して複数枚の上面羽根板３２を装着させた構成としてもよく、この場合には、支持部材３４の製造が容易であるという効果を奏する。
【００３７】
ここで、法面整畦部２０の固定部２４に支持部材３４が固定される構成について、図７を参照しながら説明する。
図７に示す通り、支持部材３４は、ボルト７を貫通させるとともに、そのボルト７の先端を固定部２４のねじ孔２４ｂに螺入することによって固定部２４に固定されている。
【００３８】
より詳細に説明すると、支持部材３４の内部には、支持部材３４の剛性を確保するため、芯材６を備えており、この芯材６は、支持部材３４の軸方向において複数のフランジ部６２を備えている。
さらに、これらフランジ部６２には、ボルト７を貫通可能とする貫通孔が施されており、支持部材３４の側面に設けられた補剛板３１と、複数のフランジ部６２の貫通孔とにボルト７を貫通させて、当該ボルト７の先端を固定部２４のねじ孔２４ｂに螺入することによって、法面整畦部２０に対して支持部材３４を固定させることとしている。
【００３９】
次に、上面羽根板３２の形状について、図６及び図８を参照しながら説明する。
上面羽根板３２は、支持部材３４の長手方向の長さと略同程度の長さを有する平面状の基端部位３２ａと、基端部位３２ａから支持部材３４の周方向に張り出すとともに湾曲した連続部位３２ｂと、連続部位３２ｂ及び基端部位３２ａから連続して形成されるとともに、連続部位３２ｂの反対側であって法面整畦部２０側へ延びる延長部位３２ｃとを有している。
つまり、延長部位３２ｃは、図６に示す通り、上面整畦部３０が法面整畦部２０の固定部２４に固定されることで、法面整畦部２０側に向けて延びた状態となる。
【００４０】
さらに、図８において点線で示す通り、基端部位３２ａの法面整畦部２０側の端部から、延長部位３２ｃの先端部位３２ｄまでの領域においては、切欠部位３２ｅが施されており、上面羽根板３２の回転方向（図中矢印Ｔ）において、延長部位３２ｃの先端部位３２ｄと切欠部位３２ｅとが隣り合わせに設けられている。
【００４１】
また、本実施形態において、上面羽根板３２の回転方向（図中矢印Ｔ）における基端部位３２ａの幅は、接合部材４を介して支持部材３４に装着できる幅であればよく、連続部位３２ｂの幅よりも小さい構成となっている。
【００４２】
そして、連続部位３２ｂについては、回転方向（図中矢印Ｔ）の幅を長くした構成としており、連続部位３２ｂから法面整畦部２０側へ向けて延長部位３２ｃを延ばして形成したことで、延長部位３２ｃの領域を大きくさせている。
このため、延長部位３２ｃの法面整畦部２０への接触の際に、法面整畦部２０から受ける反力を、延長部位３２ｃにおいて効果的に分散させることができ、延長部位３２ｃの曲げ変形を容易に生じさせるようになっている。
【００４３】
なお、上面羽根板３２は、畦の上面における整畦を効果的に行うため、樹脂等の弾性部材によって一体的に成形されることが望ましい。
【００４４】
次に、法面整畦部２０及び上面整畦部３０が一体化して構成された整畦体６６について、多方向から見た外観図である図９（ａ）〜図９（ｄ）を参照しながら説明する。
ここにおいて、図９（ａ）及び図９（ｂ）は、整畦体６６を斜め上から見た斜視図を示し、図９（ｃ）は整畦体６６の側面図を、図９（ｄ）は整畦体６６を走行機体９０の進行方向前方から進行方向後方に向けて見た図を示している。
【００４５】
そして、図９（ａ）及び図９（ｂ）に示す通り、整畦体６６は図中の一点鎖線を中心軸Ｑとして、図中の矢印の方向Ｒに回転し、法面整畦部２０によって畦の法面を整畦すると同時に、上面整畦部３０によって畦の上面を整畦することとなっている。
【００４６】
さらに、上面羽根板３２の延長部位３２ｃは、上流側法面羽根板２１ａの張出部２２ａ及び下流側法面羽根板２１ｂの張出部２２ｂの間であって、下流側法面羽根板２１ｂの表面の形状に沿って湾曲して、滑らかに延びた状態となっており、この点については後述する。
【００４７】
次に、上面整畦部３０における畦の上面への整畦について、上面整畦部３０の側面から見た図である図１０（ａ）及び図１０（ｂ）を参照しながら説明する。
ここにおいて、図１０（ａ）は、整畦体６６による畦の整畦が行われていない状態（無負荷状態）を示しており、図１０（ｂ）は、畦の整畦を行っている状態（負荷状態）を示している。
【００４８】
まず、図１０（ａ）に示す通り、上面整畦部３０には、接合部材４によって複数枚の上面羽根板３２が支持部材３４の周面部に互いに間隔を維持して装着されており、上面羽根板３２の連続部位３２ｂが、支持部材３４の周面部の方向に沿って凸となる曲面を有して、支持部材３４に対して曲げ（弾性）変形可能な状態となっている。
【００４９】
そして、無負荷状態において上面羽根板３２の連続部位３２ｂは、負荷による変形を伴わない状態であって、図中の円弧Ｓに沿って、変形する前の状態を維持しており、支持部材３４の中心Ａから所定の距離（図中Ｊ）を維持することとなる。
【００５０】
さらに、図１０（ａ）に示す通り、本実施形態においては、上面整畦部３０の回転方向（図中矢印Ｆ）における上流側に位置する上流側上面羽根板３２ｍの連続部位３２ｂは、その回転方向の下流側に位置する下流側上面羽根板３２ｎの基端部位３２ａを覆う長さを有することとしている。
【００５１】
次に、上面整畦部３０により、畦の上面が整畦されている状態について、図１０（ｂ）を参照しながら説明する。
ここにおいて、図１０（ｂ）に示す通り、畦の上面の整畦は、上面整畦部３０が走行機体９０の進行方向（図中矢印Ｇ）に向けて進行しながら、上面整畦部３０が図中矢印Ｆの方向に向けて回転して行われることとなる。
【００５２】
具体的には、上面整畦部３０の回転に伴い、始めに、未整畦の畦（図中７０）の表面に上面羽根板３２の連続部位３２ｂが接触し、連続部位３２ｂの押圧力によって、整畦された畦の表面（図中７０ａ）が形成され、その後、連続部位３２ｂが畦の表面から離れることとなる。
【００５３】
この場合、連続部位３２ｂが畦の表面を押圧している際には、その連続部位３２ｂは、支持部材３４の中心Ａからその支持部材３４の周面部までの距離（図中Ｈ）を半径とする円弧面を有する円筒に近い形状となるように、変形することとなる。
【００５４】
つまり、図１０（ｂ）にて示す負荷状態において、支持部材３４の中心Ａから上面羽根板３２における連続部位３２ｂの表面までの距離（図中Ｈ）は、無負荷状態における支持部材３４の中心Ａから上面羽根板３２における連続部位３２ｂの表面までの距離Ｊ（図１０（ａ）参照）であって図中の円弧Ｓの半径よりも小さくなり、その小さくなった距離分（図中Ｕ）だけ畦の上面を押圧して、畦の上面を整畦することとなる。
【００５５】
実際の作業においては、整畦体６６による畦の整畦を丁寧かつ確実に行う必要性から、上面整畦部３０における図中矢印Ｇに向けた進行のスピードに比べて、図中矢印Ｆの方向に向けた回転のスピードを速くし、上面整畦部３０は畦の上面に対してスリップ回転しながら畦の上面を圧密し、表面を平滑に仕上げることとなる。
【００５６】
さらに、先述した通り、上面羽根板３２の連続部位３２ｂは、支持部材３４の周面部の方向に沿って凸となる曲面を有して形成されているため、図中矢印Ｆの方向に向けた高速回転を行いながら、畦の表面から離れた後であっても、連続部位３２ｂに付着した土が跳ね上がってしまうことを抑えるという効果を得ている。
【００５７】
次に、法面整畦部２０及び上面整畦部３０が一体化して構成された整畦体６６を用いて、畦を整畦する状態について、図１１を参照しながら説明する。
図１１に示す通り、整畦作業は、畦上面７０ｂに対して上面整畦部３０が押圧し、畦法面７０ｃに対して法面整畦部２０が押圧して作用することで行われる。
【００５８】
そして、上面羽根板３２の連続部位３２ｂが畦上面７０ｂを押圧することにより、畦上面７０ｂからの反作用を受けて、支持部材３４の周面部に重なるように湾曲し、その結果、延長部位３２ｃも畦上面７０ｂからの反作用を受け、法面整畦部２０の法面羽根板２１の表面に沿って曲がることとなる。
【００５９】
特に、上面整畦部３０においては、図１１に示す通り、中心軸Ｑを回転の中心として回転することで、畦上面７０ｂに接している上面羽根板３２から中心軸Ｑまでの距離（図中Ｈ）が、畦上面７０ｂに接していない上面羽根板３２から中心軸Ｑまでの距離（図中Ｊ）よりも小さくなり、その小さくなった距離分だけ畦上面７０ｂを押圧して、畦の上面を整畦することとなる。
【００６０】
この結果、上面羽根板３２における連続部位３２ｂから延長部位３２ｃにかけた部分は、法面羽根板２１の表面に倣って湾曲するため、湾曲したその連続部位３２ｂから延長部位３２ｃに亘る部分は、畦上面７０ｂと畦法面７０ｃとを畦全体の内部側へ向けて押圧することとなり、畦上面７０ｂから畦法面７０ｃにかけた畦肩面７０ｄの土部分が、曲面状かつ滑らかに整畦されることとなる。
【００６１】
この場合、畦上面７０ｂと畦法面７０ｃの境界部分における畦肩面７０ｄの土は均等な圧力で均されることとなり、この畦肩面７０ｄの表面を滑らかに整畦することが可能となる。
【００６２】
次に、整畦体６６を用いて畦を整畦している状態について、整畦体６６を走行機体９０の進行方向に対して側面から見た図であって、図１１における図中矢印Ｋの方向から見た状態（図１１における畦を省略）を示す図１２を参照しながら説明する。
【００６３】
本実施形態においては、図１２に示す通り、上面整畦部３０が畦の上面を整畦している際に、上面羽根板３２の延長部位３２ｃは、上流側法面羽根板２１ａの張出部２２ａ及び下流側法面羽根板２１ｂの張出部２２ｂの間であって、下流側法面羽根板２１ｂの表面の形状に沿って湾曲し、滑らかに延びた状態となる。
【００６４】
このため、先述した通り、畦の上面と法面との境界部分における土は均等な圧力で均されることとなり、その結果、畦の上面と法面との境界（面）が滑らかに整畦されることとなる。
【００６５】
さらに、図１２に示す通り、上面羽根板３２が弾性屈曲した状態においては、上面羽根板３２の切欠部位３２ｅの位置に、上流側法面羽根板２１ａの張出部２２ａ及び下流側法面羽根板２１ｂの張出部２２ｂが延在することとなり、整畦体６６の表面には、張出部２２ａと延長部位３２ｃと張出部２２ｂとが周方向（図中の円弧Ｚ及び円弧Ｙ）に順に突出した領域を有することとなる。
つまり、延長部位３２ｃと張出部２２（張出部２２ａや張出部２２ｂ）とにより、畦の土面を交互に叩くことが可能となっている。
【００６６】
このため、本発明においては、整畦体６６の回転動作に伴って、延長部位３２ｃ及び張出部２２により畦土面、特に、畦肩面を交互に叩くことが可能となり、畦の土面に対する押圧の回数が増え、畦の上面から法面に亘って滑らかな土面の成形が可能であることはもちろん、より効果的に畦表面を固めることが可能となる。
【００６７】
なお、上面羽根板３２は畦の上面に接触したときに支持部材３４の外形に沿って弾性変形し、畦の上面から離脱するにつれて元の形状に復元する弾性を有するポリプロピレン、ポリエチレン、ポリ塩化ビニル等の合成樹脂や鋼板等の金属材料等から成形されるものが望ましい。
【００６８】
また、上面羽根板３２の先端部位３２ｄは、法面整畦部２０の法面羽根板２１に対して、上面整畦部３０側から重なっており、三角形状や台形状など、その形状を問うことなく、捲れ（めくれ）等を防止するために角部を落とし、外形を曲線状としてもよい。
【００６９】
さらに、本実施形態において、上面羽根板３２は、図８において先述した通り曲面部を備えて形成しているものの、畦表面からの反作用により湾曲する性質であれば適用が可能であり、平面状に成形されてあってもよい。
【００７０】
次に、法面羽根板２１の張出部２２と上面羽根板３２の延長部位３２ｃとの位置関係について、図１２、図１３（ａ）及び図１３（ｂ）を参照しながら、説明する。
ここにおいて、図１３（ａ）は上面羽根板３２が弾性屈曲した状態を示す図１２の図中Ｗ−Ｗ断面図について、上面羽根板３２における延長部位３２ｃと法面羽根板２１の張出部２２との位置関係を示す断面図である。
そして、図１３（ｂ）は同図中Ｘ−Ｘ断面図について、上面羽根板３２における先端部位３２ｄと法面羽根板２１の張出部２２との位置関係を示す断面図である。
【００７１】
ここで、図１３（ａ）に示す通り、延長部位３２ｃは、上流側法面羽根板２１ａの張出部２２ａ及び下流側法面羽根板２１ｂの張出部２２ｂの間であって、下流側法面羽根板２１ｂの表面の形状に沿って滑らかに延びた状態となっており、延長部位３２ｃの外側表面部について、上流側法面羽根板２１ａにおける張出部２２ａの外側表面部と、下流側法面羽根板２１ｂにおける張出部２２ｂの外側表面部とを結ぶ円弧（図中の円弧Ｙ）上に位置する構成となっている。
【００７２】
このため、整畦体６６の表面であって、円弧Ｙの近辺に沿った周方向においては、畦の土面に対して、延長部位３２ｃ及び張出部２２により畦土面、特に、畦肩面を交互に叩くことが可能となり、畦の土面に対する押圧の回数が増え、畦の上面から法面に亘って滑らかな土面の成形が可能であることはもちろん、より効果的に畦表面を固めることが可能となる。
【００７３】
次に、図１２中におけるＸ−Ｘ断面図の構成について、図１３（ｂ）を参照しながら説明する。
図１３（ｂ）に示す通り、延長部位３２ｃの先端である先端部位３２ｄの外側表面部は、上流側法面羽根板２１ａにおける張出部２２ａの外側表面部と、下流側法面羽根板２１ｂにおける張出部２２ｂの外側表面部とを結ぶ円弧（図中の円弧Ｚ）よりも内側に位置する構成となっている。
【００７４】
このため、整畦体６６の表面であって、延長部位３２ｃの先端部位３２ｄを含む周方向（円弧Ｚの近辺）においては、畦の土面に対して、上流側法面羽根板２１ａの張出部２２ａ及び下流側法面羽根板２１ｂの張出部２２ｂが交互に叩くこととなり、延長部位３２ｃの先端部位３２ｄについては、畦の土面に対して接触することがほとんどなく、あるいは、先端部位３２ｄが畦の土面に接触した場合でも、土への押圧力が弱いこととなる。
【００７５】
以上から、本発明においては、畦肩面に対する整畦の際、上流側法面羽根板２１ａの張出部２２ａ及び下流側法面羽根板２１ｂの張出部２２ｂの間に、上面羽根板３２における延長部位３２ｃを延在させた構成とすることで、この延長部位３２ｃ、張出部２２ａ及び張出部２２ｂにより畦土面を交互に叩くことが可能となり、畦の土面に対する押圧の回数が増すことにより、より効果的に畦表面を固めることが可能となる。
【００７６】
加えて、上流側法面羽根板２１ａの張出部２２ａ及び下流側法面羽根板２１ｂの張出部２２ｂの間に延びた上面羽根板３２における延長部位３２ｃの先端部位３２ｄについては、この先端部位３２ｄによる畦の土表面への余分な押圧力の発生を抑制し、畦土面に筋状に段差が残ってしまうことを防ぐことができる。
【００７７】
つまり、本発明により、畦肩面の整畦において、畦表面を滑らかに整畦させるとともに効果的に押圧力を畦表面に与えることが可能となり、さらに、畦肩面の土表面への余分な押圧力の発生を抑制し、畦土面に余分な段差等が発生してしまうことを抑制することが可能となる。
【００７８】
なお、本実施形態においては、図８を用いて先述した通り、上面羽根板３２の延長部位３２ｃについて、予め先端部位３２ｄを湾曲させた構成を採用しており、この場合、上面羽根板３２が畦の上面からの反作用を受けることで、より効果的に先端部位３２ｄを法面羽根板２１の表面に沿って湾曲させることができる。
【００７９】
また、先端部位３２ｄを予め湾曲させた構成としない場合であっても、湾曲可能な弾性部材を用いて上面羽根板３２として製造しておいてもよく、この場合には、製造工程が容易となり、コスト面での効果を奏することができる。
【００８０】
また、図１０を参照して先述した通り、本実施形態においては、予め上面羽根板３２の延長部位３２ｃを下流側法面羽根板２１ｂの表面に当接させた構成を採用しているものの、予め下流側法面羽根板２３の表面に対して非接触としておいてもよいものである。
【符号の説明】
【００８１】
１      畦塗り機
２０    法面整畦部
２１    法面羽根板
２２    張出部
２３    重なり部
３０    上面整畦部
３２    上面羽根板
３２ｃ  延長部位
３２ｄ  先端部位
３２ｅ  切欠部位
９０    走行機体
【図１】
0006005793.tif 000002
【図２】
0006005793.tif 000003
【図３】
0006005793.tif 000004
【図４】
0006005793.tif 000005
【図５】
0006005793.tif 000006
【図６】
0006005793.tif 000007
【図７】
0006005793.tif 000008
【図８】
0006005793.tif 000009
【図９】
0006005793.tif 000010
【図１０（ａ）】
0006005793.tif 000011
【図１０（ｂ）】
0006005793.tif 000012
【図１１】
0006005793.tif 000013
【図１２】
0006005793.tif 000014
【図１３】
0006005793.tif 000015